(57)【要約】【課題】小型化された精密機器内に設置可能で、且つメンテナンスをほとんど必要とせず安価で提供可能な照明手段を内蔵し、さらに、照明効率に優れた電磁カウンタを提供する。【解決手段】電磁石２、アンクル３、複数の数字車４，５を備えた電磁カウント機構をフレーム部材７に装備してカバー部材６に挿入し、窓孔６ｂの近傍に各数字車を配置して表示部を形成する。発光ダイオード１６が実装され配線パターン３２が形成された実装基板３０を、カバー部材６の内側におけるフレーム部材７との狭小隙間内に配設して、発光ダイオード１６を数字車の近傍に位置させる。カバー部材内側における窓孔６ｂの周囲に、発光ダイオードの光を数字車に向けて反射させる反射板３５を設ける。【選択図】  図４
2007011719.tif 000002
【特許請求の範囲】
【請求項１】
電磁石と、該電磁石の励磁，消磁により揺動動作するアンクルと、該アンクルの揺動動作に伴い所定角度ずつ回転する複数の数字車と、を備えた電磁カウント機構をフレーム部材に装備し、該フレーム部材を箱型のカバー部材に挿入し該カバー部材の前面に設けた窓孔の近傍に前記各数字車を配置して表示部を形成し、各数字車により表示されるカウント数字を前記窓孔から読み取るようにした電磁カウンタであって、
前記表示部の照明となる発光ダイオードが実装され且つ該発光ダイオードに電力を供給する配線パターンが形成された実装基板を有し、該実装基板を、前記カバー部材の内側における前記フレーム部材との間に形成される狭小隙間内に配設して、前記発光ダイオードを前記数字車の近傍に位置させ、
且つ、前記カバー部材の内側における前記窓孔の周囲の箇所に、前記発光ダイオードの光を前記数字車に向けて反射させる反射手段を備えたことを特徴とする照明手段内蔵電磁カウンタ。
【請求項２】
前記反射手段が、前記カバー部材の内側における前記窓孔の周囲の面に設けた反射板であることを特徴とする請求項１記載の照明手段内蔵電磁カウンタ。
【請求項３】
前記反射手段が、前記カバー部材の内側における前記窓孔の周囲の面に形成した金属メッキ膜又は反射塗装膜であることを特徴とする請求項１記載の照明手段内蔵電磁カウンタ。
【請求項４】
前記カバー部材を反射効率の高い金属又はプラスチックで成形して、該カバー部材の内側における前記窓孔の周囲の面が前記反射手段として機能するよう形成したことを特徴とする請求項１記載の照明手段内蔵電磁カウンタ。
【請求項５】
電磁石と、該電磁石の励磁，消磁により揺動動作するアンクルと、該アンクルの揺動動作に伴い所定角度ずつ回転する複数の数字車と、を備えた電磁カウント機構をフレーム部材に装備し、該フレーム部材を箱型のカバー部材に挿入し該カバー部材の前面に設けた窓孔の近傍に前記各数字車を配置して表示部を形成し、各数字車により表示されるカウント数字を前記窓孔から読み取るようにした電磁カウンタであって、
前記表示部の照明となる発光ダイオードが実装され且つ該発光ダイオードに電力を供給する配線パターンが形成された実装基板を有し、該実装基板を、前記カバー部材の内側における前記フレーム部材との間に形成される狭小隙間内に配設して、前記発光ダイオードを前記数字車の近傍に位置させ、
且つ、前記各数字車の周面に反射性を付与し、前記発光ダイオードからの光を前記各数字車周面の各数字又は該数字の周囲で反射するよう形成したことを特徴とする照明手段内蔵電磁カウンタ。
【請求項６】
前記カバー部材が、前記電磁カウント機構を装備した前記フレーム部材を該カバー部材に挿入するための後面開口部を有し、
前記フレーム部材が、前記後面開口部を塞ぐ背面部の左右側縁に側面部を延設した平面視コ形を呈し、これら背面部と左右の側面部で囲まれる空間に前記電磁カウント機構を配設すると共に、
前記電磁石に電力を供給する電磁石用端子部と、前記実装基板における前記配線パターン末端の発光ダイオード用端子部が、前記背面部を貫通して前記カバー部材の後方へ突出していることを特徴とする請求項１〜５の何れか１項記載の照明手段内蔵電磁カウンタ。
【請求項７】
前記実装基板が、前記発光ダイオード用端子部を形成する突起部を一体に備えると共に、該実装基板に搭載した前記発光ダイオードと前記突起部にわたって前記配線パターンを形成したことを特徴とする請求項６記載の照明手段内蔵電磁カウンタ。
【請求項８】
前記発光ダイオードが多色発光ダイオードであることを特徴とする請求項１〜７の何れか１項記載の照明手段内蔵電磁カウンタ。
【請求項９】
請求項６〜８の何れか１項記載の照明手段内蔵電磁カウンタを、配線パターンが形成された取付基板の表面に取り付けてなる照明手段内蔵電磁カウンタ付き基板であって、
前記取付基板の配線パターンに設けた貫通孔に前記電磁石用と発光ダイオード用の端子部を挿入すると共に、これら端子部における前記取付基板の裏面側に突出する部分を、該取付基板の配線パターンに半田付けしてなる照明手段内蔵電磁カウンタ付き基板。
【発明の詳細な説明】
【技術分野】
【０００１】
本発明は電磁カウンタに関し、詳しくは、ゲーム機、コピー機、プリンタ装置などの各種精密機器の内部に設置される電磁カウンタにおける照明機構の改良に関する。
【背景技術】
【０００２】
例えば特許文献１に記載されるように、少なくとも、電磁石と、電磁石の励磁，消磁により揺動動作するアンクルと、このアンクルの先端に形成された爪部が係合するラチェットギヤが側面に形成された最下位桁の数字車を備え、さらに、側面に伝達ギヤが形成された所要数の上位桁数字車と、これら数字車間に介在して桁上げを行うピニオンとから構成された電磁カウント機構が、従来から知られている。
【０００３】
また、この種電磁カウント機構は通常、電磁石により励磁された鉄心に鉄粉などが付着してアンクルの揺動動作に支障を来たすことがないよう、筐体内に収容して防塵性を向上させている。筐体としては、例えば、電磁石、アンクル、数字車が所定箇所に配設されたフレーム部材を箱型のカバー部材で覆ったものなどがある。
【０００４】
このように、筐体内に電磁カウント機構を収容してなる電磁カウンタは、一つの部品として取り扱い、取り付け等が容易であることから、例えば、コイン投入や給紙枚数等の計数用として、ゲーム機、コピー機、プリンタ装置などの各種精密機器に組み込まれるが、その設置場所はこれら精密機器の内部であることが多く、精密機器内部が構造複雑で暗いことや、カウンタが発光機能を備えていないなどの事情から、カウンタで表示される数値の読み取りが困難になる場合がある。このような場合、懐中電灯などで精密機器内部を照らして数値を読み取るという煩わしい作業を余儀なくされる。
【０００５】
このような不具合を解消するため、精密機器内部に数字車を照らす照明灯を別途設置したりカウンタ内部に豆電球を組み込むことが考えられるが、近年、電磁カウンタが設置される前記したような精密機器は小型化の傾向が顕著であり、それに伴い電磁カウンタも小型化が進んでおり、精密機器内部や、電磁カウンタの筐体内に照明灯を設置するのは極めて困難である。また、たとえ狭いスペースを確保して豆電球を設置したとしても、光源がフィラメントである豆電球は点灯寿命が短いので定期的に交換する必要があり、設置スペースの狭さに起因するメンテナンス作業の煩わしさとそれに伴うコストが問題になる。
また、カバー部材がフレーム部材に固定された筐体内に電磁石、アンクル、数字車などを収容したタイプの電磁カウンタの場合、電球の交換は実質的に不可能なため、電磁カウンタ全体を交換しなければならないという問題が生じる。
【０００６】
このような問題を解決するために、本出願人は、小型化された電磁カウンタ内の極めて狭いスペース内にも収容可能で、且つメンテナンスをほとんど必要とせず、安価で提供可能な照明手段を内蔵した新規な電磁カウンタを提案し、先に出願した（特許文献２）。
【０００７】
【特許文献１】特開昭５７−９３４８７号公報
【特許文献２】特願２００４−２６８０３号
【発明の開示】
【発明が解決しようとする課題】
【０００８】
しかし、本出願人による先提案の照明手段内蔵電磁カウンタに関し、その技術内容についてさらに検討したところ、以下の点に改良の余地を残していた。
【０００９】
すなわち、先提案の電磁カウンタは、電磁石，アンクル，数字車などから構成された電磁カウント機構を装備したフレーム部材を、箱型のカバー部材に挿入すると共に、このフレーム部材とカバー部材の間に形成される狭小隙間に、前記数字車の照明となる発光ダイオードが実装されたフレキシブル基板を配設したものであるが、実装する発光ダイオードが一又は数個では照明効果に劣る虞れがあり、多数個の発光ダイオードを実装するとコストアップにつながる。また、実装スペースからも多数個の実装が難しい場合が多々ある。
【００１０】
本発明はこのような従来事情に鑑みて成されたもので、その目的とする処は、小型化された電磁カウンタ内の極めて狭いスペース内にも収容可能で、且つメンテナンスをほとんど必要とせず、安価で提供可能であるという先提案の電磁カウンタをさらに改良し、一又は数個の発光ダイオードを用いて効率良く照明効果を得ることができる新規な照明手段内蔵電磁カウンタを提供することである。
【課題を解決するための手段】
【００１１】
以上の目的を達成するために、本発明に係る照明手段内蔵電磁カウンタは、
電磁石と、該電磁石の励磁，消磁により揺動動作するアンクルと、該アンクルの揺動動作に伴い所定角度ずつ回転する複数の数字車と、を備えた電磁カウント機構をフレーム部材に装備し、該フレーム部材を箱型のカバー部材に挿入し該カバー部材の前面に設けた窓孔の近傍に前記各数字車を配置して表示部を形成し、各数字車により表示されるカウント数字を前記窓孔から読み取るようにした電磁カウンタであって、
前記表示部の照明となる発光ダイオードが実装され且つ該発光ダイオードに電力を供給する配線パターンが形成された実装基板を有し、該実装基板を、前記カバー部材の内側における前記フレーム部材との間に形成される狭小隙間内に配設して、前記発光ダイオードを前記数字車の近傍に位置させ、
且つ、前記カバー部材の内側における前記窓孔の周囲の箇所に、前記発光ダイオードの光を前記数字車に向けて反射させる反射手段を備えたことを特徴とする（請求項１）。
【００１２】
ここで、コスト面と照射効率を考慮すれば、前記実装基板の先端部位に一つの発光ダイオードを実装し、並列状の各数字車のほぼ中央に発光ダイオードが位置するよう、前記基板を配置することが好ましい。この場合、反射手段は、その発光ダイオードの光を効率よく反射させて各数字車を照らすことが可能な箇所、すなわち、前記発光ダイオードの配設箇所の対向位置に形成することが好ましい。例えば、発光ダイオードが、カバー部材の内側における窓孔の下方に配置された場合、カバー部材の内側における窓孔の上方に反射手段を設けるとよい。
但し、本発明はこれに限定するものではなく、二以上の複数の発光ダイオードを実装したり、カバー部材の内側における窓孔の周囲四方に反射手段を形成しても良い。
カバー部材の内側における窓孔の周囲の箇所とは、カバー部材の内側における前記窓孔の周囲の面、すなわち、カバー部材の内側における窓孔が形成されたカバー部材前面や、その周囲の上面、下面、左右の側面、並びに、これらの面と各数字車との間の空隙部分をあげることができる。
【００１３】
前記反射手段の一態様として、前記カバー部材の内側における前記窓孔の周囲の面に設けた反射板をあげることができる（請求項２）。反射板としては、例えば、反射効率の高いステンレス、アルミニウム、ニッケル、光沢クローム、金などの金属板、明度の高い（反射効率の高い）白色などの着色樹脂からなるプラスチック板、鏡などをあげることができる。
【００１４】
前記反射手段の一態様として、前記カバー部材の内側における前記窓孔の周囲の面に形成した金属メッキ膜又は反射塗装膜をあげることができる（請求項３）。金属メッキ膜としては、例えば、反射効率の高いアルミニウムメッキ膜、ニッケルメッキ膜、光沢クロームメッキ膜、金メッキ膜などをあげることができる。反射塗装膜としては、例えば、明度の高い白色などの着色樹脂塗料や、アルミニウム顔料などの光沢顔料を含有した鏡面インキ、その他、反射塗装膜を形成可能な公知の塗料で形成される反射塗装膜をあげることができる。
この場合、反射板が不要になるので、部品点数が低減されると共に、電磁カウンタの組み立て作業が簡便化され、コストダウンにつながるなどの利点がある。
【００１５】
前記反射手段の一態様として、前記カバー部材を反射効率の高い金属又はプラスチックで成形し、該カバー部材の内側における前記窓孔の周囲の面が前記反射手段として機能するよう形成する態様をあげることができる（請求項４）。ここで、カバー部材の成形材料としては、ステンレス、アルミニウム、ニッケル、光沢クローム、金などの金属材料、明度の高い（反射効率の高い）白色などの着色樹脂材料などをあげることができる。また、この場合、カバー部材の外側における前記窓孔の周囲も反射効率の高い面となるので、使用状況によっては、各数字車により表示されるカウント数字が読み取りにくくなる虞れがある。よって、カバー部材の外側における前記窓孔の周囲は、黒色などの明度の低い着色を施すことが好ましい。
この場合、反射板が不要になるので部品点数を低減し得、また、メッキ膜・塗膜の形成が不要になるので、電磁カウンタの組み立て作業が大幅に簡便化され、大幅なコストダウンが期待できるなどの利点がある。
【００１６】
このように、カバー部材の内側における窓孔の周囲の箇所に、発光ダイオードの光を各数字車に向けて反射させる反射手段を備えることで、発光ダイオードからの光を反射手段で反射して各数字車を効率良く照らすことができる。よって、実装する発光ダイオードの数を１または２〜３個の少数にしたとしても、各数字車により表示されるカウント数字を容易に読み取ることができる。また、従来よりも低輝度の発光ダイオードを用いても、高輝度の発光ダイオードを使用する場合と同程度の明るさが得られるので、発光ダイオードにかかるコストを低減し得るなど、多くの利点を有する。
【００１７】
また、本発明に係る照明手段内蔵電磁カウンタは、
電磁石と、該電磁石の励磁，消磁により揺動動作するアンクルと、該アンクルの揺動動作に伴い所定角度ずつ回転する複数の数字車と、を備えた電磁カウント機構をフレーム部材に装備し、該フレーム部材を箱型のカバー部材に挿入し該カバー部材の前面に設けた窓孔の近傍に前記各数字車を配置して表示部を形成し、各数字車により表示されるカウント数字を前記窓孔から読み取るようにした電磁カウンタであって、
前記表示部の照明となる発光ダイオードが実装され且つ該発光ダイオードに電力を供給する配線パターンが形成された実装基板を有し、該実装基板を、前記カバー部材の内側における前記フレーム部材との間に形成される狭小隙間内に配設して、前記発光ダイオードを前記数字車の近傍に位置させ、
且つ、前記各数字車の周面に反射性を付与し、前記発光ダイオードからの光を前記各数字車周面の各数字又は該数字の周囲で反射するよう形成したことを特徴とする（請求項５）。
ここで、数字車の周面に反射性を付与するとは、数字車の周面に形成された数字に反射性を付与する場合と、数字の周囲に反射性を付与する場合との双方を含むものである。
【００１８】
数字車周面の各数字に反射性を付与する手段の例として、各数字を、アルミニウムや金等の反射性に優れる金属の箔や、光輝性顔料を含有したメタリックインキや、反射性に優れる合成樹脂塗料などを用いて形成する手段をあげることができる。より具体的には、数字車の周面（各数字が表示される面）に金属箔を押し当てて各数字を打ち抜くことで金属箔製の数字を数字車周面に密着させたり、メタリックインキや合成樹脂塗料で印刷したり吹き付けにより各数字を形成する手段をあげることができる。
数字車周面の各数字の周囲に反射性を付与する手段の例として、各数字が抜かれた状態になるように、前記した金属箔やメタリックインキ、合成樹脂塗料などを用いて、各数字の周囲を形成する手段をあげることができる。
このような構成によれば、反射性を持った各数字又は各数字の周囲が、発光ダイオードからの光を反射して二次発光するので、各数字車で表示される数字がより明るく、鮮明に見えるようになる。よって、実装する発光ダイオードの数を１または２〜３個の少数にしたとしても、各数字車により表示されるカウント数字を容易に読み取ることができる。また、従来よりも低輝度の発光ダイオードを用いても、高輝度の発光ダイオードを使用する場合と同程度の明るさが得られるので、発光ダイオードにかかるコストを低減し得るなど、多くの利点を有する。
【００１９】
尚、本発明において、コスト面と照射効率を考慮すれば、前記実装基板の先端部位に一つの発光ダイオードを実装し、並列状の各数字車のほぼ中央に発光ダイオードが位置するよう、前記基板を配置することが好ましい。
また、本発明において、前述した反射手段を備える構成と、各数字に反射性を付与する構成との双方を有することは、前述した効果をより実効あるものとし得るので好ましい。
【００２０】
また、本発明に係る照明手段内蔵電磁カウンタは、
前記カバー部材が、前記電磁カウント機構を装備した前記フレーム部材を該カバー部材に挿入するための後面開口部を有し、
前記フレーム部材が、前記後面開口部を塞ぐ背面部の左右側縁に側面部を延設した平面視コ形を呈し、これら背面部と左右の側面部で囲まれる空間に前記電磁カウント機構を配設すると共に、
前記電磁石に電力を供給する電磁石用端子部と、前記実装基板における前記配線パターン末端の発光ダイオード用端子部が、前記背面部を貫通して前記カバー部材の後方へ突出していることを特徴とする（請求項６）。
【００２１】
このような構成の照明手段内蔵電磁カウンタは、配線パターンが形成された取付基板（親基板）の表面に、容易に取付けることができる。すなわち、前記取付基板の配線パターンに設けた貫通孔に、前記電磁石用と発光ダイオード用の端子部を挿入すると共に、これら端子部における前記取付基板の裏面側に突出する部分を、該取付基板の配線パターンに半田付けすることで、照明手段内蔵電磁カウンタを取付基板の表面に、容易に取付けることができる。また、前記半田付け作業は、フロー半田用の自動半田装置を用いて容易に自動化可能なため、電磁カウンタの組み立て、取り付け作業の容易化、迅速化、低コスト化に大きく貢献する。また、半田付けに人間が関与せずに半田付けができるので品質が安定するなどの利点がある。
【００２２】
また、この場合、前記実装基板は、フレキシブル基板などのフィルム製基板であっても良いが、例えば、ガラスエポキシ樹脂などの硬質材料からなる四角形状の硬質基板とし、且つその先端側を発光ダイオード実装部位とすると共に、後端側の左右側縁に、前記発光ダイオード用端子部を形成する突起部が一体に備えられるよう、該左右の突起部の間の箇所をプレスで打ち抜くなどして、後端側の左右側縁に発光ダイオード用端子部となる突起部を一体に備えた矩形板状に形成することが好ましい。このような構成とした実装基板の表面には、先端側に搭載した発光ダイオードと、後端側に形成された前記左右の突起部にわたって、発光ダイオードへの電力供給のための配線パターンを、エッチングなどの公知の手段を用いて容易に形成することができる。
【００２３】
尚、本発明において、前述した実装基板（フレキシブル基板又は硬質基板）を、フレーム部材、又は、カバー部材内側に貼り着けるようにしても良く、この場合、照明手段の組み込み作業、電磁カウンタの組み立て作業がより簡単に行えるようになる。
【００２４】
また、本発明において、前記発光ダイオードは、多色発光ダイオードであることが好ましい。
また、本発明において、数字車の数は必ずしも限定されるものではないが、アンクルの揺動動作に伴い所定角度ずつ回転する最下位桁の数字車と、側面に伝達ギヤが形成された所要数の上位桁数字車と、これら各数字車間に介在して桁上げを行うピニオンとから構成されたものが一般に用いられており、本発明ではそのような態様をも含むことは言うまでもない。
【発明の効果】
【００２５】
本発明に係る照明手段内蔵電磁カウンタは、以上説明したように構成したので、精密機器内の狭いスペースにも容易に設置することができる小型の電磁カウンタとしながら、発光ダイオードによる照明手段を備えるので、カウント数字が読み取り易く、且つ、豆電球を用いる場合に比べメンテナンスが容易で、低コストで提供可能であるといった、本出願人による先出願（特許文献２）と同一の効果を有する。
加えて、発光ダイオードの光を各数字車に向けて反射させる反射手段、又は、数字車周面に各数字又はその周囲に反射性を付与させた手段を備えるので、少数の発光ダイオードの光を効率良く利用して、各数字車により表示されるカウント数字を容易に読み取ることができる。よって、低コストでの製造が可能で、消費電力の少ない照明手段内蔵電磁カウンタとして、好適に供することができる。
【００２６】
また、取付基板（親基板）に対して自動半田により容易に取り付けることができるので、多数個のカウンタを必要とされるゲーム機設置現場などに好適に供することができる。
【００２７】
また、多色発光ダイオードにより発光色を任意に選択することができるので、例えば複数の計数要素に対応すべく複数の電磁カウンタを設置した場合、各電磁カウンタごとに発光色を変えることで各計数要素の読取違いなどを防止することができるなど、多くの効果を有する。
【発明を実施するための最良の形態】
【００２８】
以下、本発明の実施形態の例を図面を参照しながら説明するが、本発明は図示例に限定されるものではない。
【００２９】
図１〜図３に示す第一例の照明手段内蔵電磁カウンタＡ（以下、単に「電磁カウンタＡ」と言う場合がある）は、本出願人による先提案（特許文献２）に開示された照明手段内蔵電磁カウンタと、その基本構成が大凡同じであり、各数字車４、５，５・・・の周面の０〜９までの各数字に反射性を付与した点が相違する。まず、この電磁カウンタＡの基本構成について説明する。
【００３０】
図１，図２に示すように、電磁カウンタＡは、筐体１内に、電磁石２、アンクル３、最下位桁数字車４、上位桁文字車５，５，・・・などと共に照明手段を装備したもので、各数字車４、５，５・・・により表示されるカウント数字を照明手段で照らして暗所でも容易に読み取れるよう構成されている。
【００３１】
筐体１は、略箱型のカバー部材６と、そのカバー部材６で周囲を覆われるフレーム部材７からなり、カバー部材６は後面にフレーム部材７の挿入口となる開口部６ａを備えると共に、前面にカウンタ表示部となる窓孔６ｂを備え、フレーム部材７はその開口部６ａを塞ぐ背面部７ａの左右両側に側面部７ｂ，７ｂを延設した平面視コ形のフレーム形状を呈している。
フレーム部材７の左右の側面部７ｂ，７ｂの間には電磁石２、アンクル３、最下位桁数字車４、上位桁文字車５，５，・・・などが配設されて電磁カウント機構を構成している。
【００３２】
電磁カウント機構は従来の電磁カウンタと同様に構成されたもので、その機構を簡単に説明すれば、電磁石２に電流を流すと鉄心８及び補助鉄心８ａが磁化され、ラチェットギヤ９に噛合する爪部を先端に備えたアンクル３の基端に一体化された可動片１０が鉄心８及び補助鉄心８ａに吸引されて、アンクル３が回動軸１１を中心としてバネ１２に抗して正方向へ揺動する一方、電磁石２の電流が遮断されると鉄心８と補助鉄心８ａは磁力がなくなるので、アンクル３はバネ１２の力によって逆方向に揺動する。すなわち、アンクル３は電磁石２の電流のオン、オフによって１回の往復揺動動作をし、この１揺動動作によってラチェットギヤ９は３６度回動する。ラチェットギヤ９は最下位桁数字車４と一体に形成されており、ラチェットギヤ９の回動に伴って最下位桁数字車４も３６度回転する。最下位桁数字車４の外周には３６度分割で「０」から「９」までの数字が印刷されており、電磁石２へ信号電流を１パルス印加するごとに最下位桁数字車４は回動する。最下位桁数字車４と並んで設置された上位桁数字車５，５，・・・は側面に伝達ギヤ５ａを有すると共にこれら各数字車４，５，５間に桁上げを行うピニオン１３が設けられ、最下位桁数字車４が１回転するとピニオン１３が回動して上桁の上位桁数字車５が３６度回動し、上位桁数字車５が１回転するとピニオン１３が回動してさらに上桁の上位桁数字車５が３６度回動し、該動作を繰り返すことで印加信号数をカウント数として表示するよう構成されている。
【００３３】
照明手段は、プリント配線１４が形成された実装基板としてのフレキシブル基板１５に、発光ダイオード１６と電流制限抵抗１７を実装したもので、そのフレキシブル基板１５を、フレーム部材７の左右いずれか（図１では右側）の側面部７ｂに両面テープ１８で貼り着けてある。
フレキシブル基板１５が貼り着けられる側面部７ｂには、発光ダイオード１６、電流制限抵抗１７が収容される切欠き部１９が適所に形成され、カバー部材６とフレーム部材７の間の狭小隙間２０内に照明手段が収まるようになっている。
【００３４】
フレキシブル基板１５はその端部がフレーム部材７の背面部７ａの外側に位置する、すなわち、筐体１の外側であって、カバー部材６の後方へ突出するよう形成され、またその端部にはプリント配線１４の末端端子部（発光ダイオード用端子部）１４ａが形成され、該端子部１４ａに電圧を印加すると電流制限抵抗１７を介して発光ダイオード１６に電流が流れて発光し、その光が各数字車４，５，５，・・・に向けて照射されて、暗所でもカウント数字が読み取れるようになっている。
電磁石２の接続端子（電磁石用端子部）２ａ，２ａは金属製の棒材からなり、フレーム部材７の背面部７ａを貫通して筐体１の外側（カバー部材６の後方）へ突出している。
【００３５】
図３には、この例の電磁カウンタＡを、設置対象である精密機器側等に固定する取付基板（親基板）２１に取り付けた状態を表す。
取付基板２１には上述した電磁石２と発光ダイオード１６に電力を供給するための配線パターン２２が形成され、その配線パターン２２の適所に、電磁石２の接続端子２ａが差し込まれる差込部２２ａと、フレキシブル基板１５の末端端子部（発光ダイオード用端子部）１４ａに接続される接続部２２ｂが形成されている。
そして、末端端子部１４ａを接続部２２ｂに半田付けし、且つ電磁石２の接続端子２ａを差込部２２ａに差し込んで半田付けすることで、取付基板２１の配線パターン２２と電磁石２、発光ダイオード１６の結線作業、電磁カウンタＡの取付け作業が同一工程で行え、作業の簡略化が図れるようになっている。
【００３６】
フレキシブル基板１５は図２中などに示すように、フレーム部材７の側面部７ｂに貼り着け可能な略長方形状に形成され、先端側に実装される発光ダイオード１６と後端側に形成される末端端子部１４ａとの間にプリント配線１４が形成されると共に、中途部に電流制限抵抗１７が実装されている。
尚、フレキシブル基板１５は、ガラスエポキシ樹脂などの硬質材料からなる硬質基板としても良いし、その配設箇所を、各数字車４、５，５，・・・のほぼ中央に発光ダイオード１６が位置するよう設置しても良い。
【００３７】
以上説明したこの例の電磁カウンタＡは、予めフレーム部材７に電磁石２、アンクル３、最下位桁数字車４、上位桁文字車５，５，・・・などを配設して電磁カウント機構を構成すると共に、発光ダイオード１６、電流制限抵抗１７が実装されたフレキシブル基板１５をフレーム部材７の側面部７ｂに両面テープ１８で貼り着けて切欠き部１９，１９に発光ダイオード１６と電流制限抵抗１７を収容し、このフレーム部材７にカバー部材６を被せて組み立てられる。
よって、フレーム部材７とカバー部材６の間の狭小隙間２０内に、発光ダイオード１６と電流制限抵抗１７が実装されたフレキシブル基板１５が収容され、豆電球などを組み込むスペースが殆どない程度まで小型化されていても、照明手段を内蔵して、暗所であっても容易にカウント数字を読み取ることができる。また、発光ダイオード１６で照明手段を構成するのでメンテナンスが不要であり、筐体１が分解不能に構成されていても実使用への影響は殆どない。さらに、精密機器等への設置も前述したとおり容易に行えるので、小型化されたゲーム機、コピー機、プリンタ装置などに設置するに極めて有用な電磁カウンタとすることができた。
【００３８】
このような構成の電磁カウンタＡにおいて、本発明では、各数字車４、５，５・・・の周面の０〜９までの各数字に反射性を付与することで、照明効率により優れた電磁カウンタとすることができた。詳しくは、金属箔の打ち抜きにより、各数字車の周面に、等間隔毎に各数字０〜９を順に形成した。このようにして得られた数字車４、５，５・・・は、周面の各数字が反射性を備えたものになり、発光ダイオード１６からの光をそれぞれの数字が反射するので、各数字０〜９がより明るく、鮮明に見えるようになる。
よって、実装する発光ダイオード１６が一つであっても、各数字車４、５，５・・・により表示されるカウント数字を容易に読み取ることができる。また、発光ダイオード１６を、従来よりも低輝度のものとしても、表示部において、高輝度の発光ダイオードを用いた場合と同程度の明るさが得られるので、発光ダイオード１６にかかるコストを低減することができた。
【００３９】
次に、第二例として、反射手段を備えた照明手段内蔵電磁カウンタの一例を、図４〜図７に基づき説明する。ここで、図１〜図３に係る電磁カウンタＡと同様の構成部分については、重複する図示及び説明を一部省略し、以下、この例の特徴について主に述べる。
【００４０】
この例の照明手段内蔵電磁カウンタＢ（以下、単に「電磁カウンタＢ」と言う場合がある）は、前述の電磁カウント機構を装備したフレーム部材７をカバー部材６の後面開口部６ａから挿入し、該カバー部材前面の窓孔６ｂの近傍に各数字車４、５，５・・・を配置して表示部を形成し、各数字車により表示されるカウント数字を窓孔６ｂから読み取るようにしたことは、前述の照明手段内蔵電磁カウンタＡと同様である。
【００４１】
この例では、照明となる発光ダイオード１６が実装される実装基板として、前述のフレキシブル基板に代えて、ガラスエポキシ樹脂からなる矩形状の硬質の実装基板３０を用い、この実装基板３０の先端に発光ダイオード１６を実装し、後端には、前述した発光ダイオード用端子部として機能する突起部３１，３１を一体に備え、これら突起部３１，３１から発光ダイオード１６にわたって、銅箔などの導通金属からなる配線パターン３２が、エッチング法などにより形成されている。配線パターン３２の中途部に配される電流制限抵抗１７などの素子は図示を省略する。
【００４２】
この実装基板３０は、前述の例同様、カバー部材６の内側におけるフレーム部材７との間に形成される狭小隙間内に配設されるが、この例では、発光ダイオード１６が、並列状の各数字車のほぼ中央に位置するよう、実装基板３０をフレーム部材７の幅方向ほぼ中央に取付けて、発光ダイオード１６をほぼ中央に位置する数字車５の前方に位置させてある。
【００４３】
また、カバー部材６の内側における窓孔６ｂの周囲、詳しくは、カバー部材の前面の内側、上面の内側、下面の内側であって、窓孔６ｂに近接する部分に、発光ダイオード１６の光を各数字車４、５，５・・・に向けて反射させる反射手段としての反射板３５を備えている。
【００４４】
この例の反射板３５は、極薄状のアルミニウム板を、カバー部材６の前面の内側、上面の内側、下面の内側における、窓孔６ｂに近接する部分に貼り付けたものであるが、これに代えて、アルミニウム箔を貼り付けることもできる。また、ステンレス、ニッケルなどの薄板や箔状のもの、白色樹脂板などを用いてもよい。
さらに、反射板３５に代えて、カバー部材６の前面の内側、上面の内側、下面の内側における、窓孔６ｂに近接する部分に、金属メッキ膜、反射塗装膜を形成して反射手段とすることもできる。
また、カバー部材６を反射効率の高い金属又はプラスチックで成形して、カバー部材６の前面の内側、上面の内側、下面の内側における、窓孔６ｂに近接する部分が、反射手段として機能するよう形成してもよい。
【００４５】
このような構成とすることで、発光ダイオード１６からの光を反射板（反射手段）３５で反射して、各数字車４、５，５・・・を効率良く照らすことができる。よって、実装する発光ダイオードの数が１個であっても、各数字車４、５，５・・・で表示されるカウント数字を容易に読み取ることができる。
【００４６】
電磁石２に電力を供給する電磁石用端子部２ａと、実装基板３０における配線パターン３２末端の発光ダイオード用端子部（突起部）３１は、フレーム部材７の背面部７ａを貫通して、カバー部材６の後方へ突出している。
【００４７】
よって、この例の電磁カウンタＢを、配線パターン２２が形成された取付基板２１に取付ける場合、図３に示すように、取付基板２１の配線パターン２２に設けた貫通孔２５に電磁石用端子部２ａ，２ａと発光ダイオード用端子部３１，３１を挿入し、その状態でフロー半田装置に自動送りして、これら端子部２ａ，３１における取付基板２１の裏面側に突出する部分を、取付基板の配線パターン２２に自動半田することで、この例の電磁カウンタＢが固定された取付基板２１を容易に組み立てることができる。
【００４８】
このような自動半田による組み立て作業は、図８に示すように、複数の計数要素に対応するために複数の電磁カウンタＢを集合して設置する必要がある場合などに、極めて有用である。
【００４９】
図９には、前記した実施形態例における発光ダイオード１６の変更例を示す。
この例の電磁カウンタＢにおいては、基板３０に実装する発光ダイオード１６として、図９（ａ）に示す回路構成となるよう一つの発光素子１６ａを備えた単色の発光ダイオードを用いても良いが、同図（ｂ）に示す回路構成となるよう異なる二色の発光素子１６ａ，１６ｂを備えた多色発光ダイオード１６’を用いたり、同図（ｃ）に示す回路構成となるよう異なる三色の発光素子１６ａ，１６ｂ，１６ｃを備えた多色発光ダイオード１６”を用いることもできる。
このような多色発光ダイオード１６’，１６”を用いた場合、配線パターン３２末端の発光ダイオード用端子部（突起部）３１に印加する電圧を適宜に設定して任意の色の発光素子を単独若しくは複数発光させることで、多色発光ダイオード１６’，１６”による発光色（照明色）を適宜に選択することができる。
このように構成した場合、図８における各電磁カウンタＢごとに多色発光ダイオード１６”の発光色を変えることで個々の電磁カウンタＢの識別が容易になり、各計数要素の読み取り間違いをなくして、計数データの精度を向上し、信頼性の高い計数作業を容易に行うことができる。
【００５０】
次に、カウント数字の読み取りに係る目視テストについて説明する。
（実施例）
図４〜図７に示す電磁カウンタＢを用い、発光ダイオード１６に６ミリアンペアの電流を流して発光させたところ、反射板３５による反射効果で表示部全体が明るくなり、各数字車４、５，５・・・で表示されるカウント数字が全桁にわたり判読できる状態になった。
また、発光ダイオード１６に１８ミリアンペアの電流を流して発光させたところ、表示部全体がさらに明るくなり、カウント数字が全桁にわたりより鮮明に判読できる状態になった。
（比較例）
反射板３５を取り除いたこと以外は、実施例と同様にして発光ダイオード１６を発光させた。電流が６ミリアンペアの場合、発光ダイオード１６に近接して位置する数字車５の数字は判読できたが、表示部が全体的に暗いため、それ以外の数字車の数字は判読困難であった。また、電流が１８ミリアンペアの場合は、カウント数字が全桁にわたり判読できるものの、発光ダイオード１６に近接して位置する数字車５の数字が明るいため、全体として判読しずらい状態であった。
以上の結果から、本発明の優位性を確認することができた。
【００５１】
以上、本発明の実施形態の例を図面を参照して説明したが、第一例の電磁カウンタＡにおいて、フレキシブル基板１５を実装基板３０としたり、フレキシブル基板１５（又は実装基板３０）の配設箇所を第二例のようにしたり、反射手段をさらに備えることもできる。また、また、第二例の電磁カウンタＢにおいて、実装基板３０をフレキシブル基板１５としたり、実装基板３０（又はフレキシブル基板１５）の配設箇所を第一例のようにしたり、各数字車４、５，５・・・の周面における０〜９までの各数字に、第一例同様に反射性を持たせることもできる。また、第一例の電磁カウンタＡにおいても第二例同様、図６〜図９に係る構成を採用することができる。
さらに、本発明に係る照明手段内蔵電磁カウンタは図示例に限定されるものではなく、特許請求範囲の各請求項に記載された技術的思想の範疇において種々の変更が可能であることは言うまでもない。
【図面の簡単な説明】
【００５２】
【図１】本発明に係る電磁カウンタの実施形態の一例を示し、（ａ）は一部切欠正面図、（ｂ）は一部切欠平面図、（ｃ）は（Ｘ）−（Ｘ）線に沿う断面図。
【図２】（ａ）は図１に示す電磁カウンタのカバー部材と実装基板を外した状態の斜視図、（ｂ）はカバー部材とフレーム部材の組み付け前の状態を示す斜視図。
【図３】図１に示す電磁カウンタを取付基板に固定した状態を示す斜視図。
【図４】本発明に係る電磁カウンタの実施形態例の他例を示し、カバー部材を一部切欠して内部構造を表す平面図である。
【図５】図４に示す電磁カウンタにおける実装基板と発光ダイオードの配設位置を表し、（ａ）はカバー部材の横断平面図、（ｂ）はカバー部材の縦断側面図である。
【図６】図４に示す電磁カウンタにおける実装基板の斜視図である。
【図７】（ａ）は図４に示す電磁カウンタを背面側から見た斜視図、（ｂ）は同電磁カウンタを取付基板に固定した状態の斜視図である。
【図８】複数の電磁カウンタを設置した状態を示す正面図である。
【図９】実装基板の回路構成図で、（ａ）は単色発光ダイオード、（ｂ）は二色発光ダイオード、（ｃ）は三色発光ダイオードを実装した場合を夫々表す。
【符号の説明】
【００５３】
Ａ，Ｂ：電磁カウンタ
２：電磁石
２ａ：電磁石用端子部
３：アンクル
４，５：数字車
６：カバー部材
７：フレーム部材
７ａ：背面部
７ｂ：側面部
１５：フレキシブル基板
１６：発光ダイオード
２０：狭小隙間
２１：取付基板
２２：配線パターン
２５：貫通孔
３０：実装基板
３１：突起部（発光ダイオード用端子部）
３２：配線パターン
【図１】
2007011719.tif 000003
【図２】
2007011719.tif 000004
【図３】
2007011719.tif 000005
【図４】
2007011719.tif 000006
【図５】
2007011719.tif 000007
【図６】
2007011719.tif 000008
【図７】
2007011719.tif 000009
【図８】
2007011719.tif 000010
【図９】
2007011719.tif 000011